(57)【特許請求の範囲】
【請求項１】
所定の情報が印字された印刷物が透明フィルムからなる封筒に封入されて構成される封入体であって、
前記印刷物は、前記封筒から取り出された状態にて前記封筒を用いて認識可能となる特定の情報が印字され、
前記封筒は、前記印刷物上に重ねられた際に、前記印刷物に印字された情報のうち前記特定の情報のみを視認可能とする着色領域を有することを特徴とする封入体。
【請求項２】
所定の情報が印字された印刷物が透明フィルムからなる封筒に封入されて構成される封入体であって、
前記印刷物は、前記封筒から取り出された状態にて前記封筒を用いて認識可能となる特定の情報がステルスインクによって印字され、
前記封筒は、濃青色で着色された着色領域を有することを特徴とする封入体。
【発明の詳細な説明】
【０００１】
【発明の属する技術分野】
本発明は、所定の情報が印字された印刷物が封筒に封入されて構成される封入体に関し、特に、透明フィルムからなる封筒に印刷物が封入されて構成される封入体に関する。
【０００２】
【従来の技術】
従来より、ダイレクトメール等といった郵送等によって送付される送付物においては、差出人が受取人に通知したい情報が文字や画像として所定の用紙に印字されており、そのほとんどが、封筒等に封入、封緘され、封入体として受取人に送付されている。
【０００３】
このような封入体は、受取人が封筒を開封して封筒等に封入された送付物を閲覧することによって、差出人が通知したい情報が受取人に通知されることになる。
【０００４】
また、近年においては、送付物を封入、封緘する封筒としてフィルムを用い、このフィルムから作成された封筒に封入物が封入、封緘された封入体が流通している。このフィルムから作成された封筒においては、紙から作成された封筒と比べて、耐水性に優れ、また、透明のフィルムを用いれば、封入されている封入物を視認可能に構成することもでき、さらに、フィルムの色によっては、外観上も優れたものとすることができる。
【０００５】
【発明が解決しようとする課題】
しかしながら、上述したように送付物が封筒に封入された従来の封入体においては、受取人が封筒を開封して封筒等に封入された送付物を閲覧することによって、差出人が通知したい情報が受取人に通知されるため、受取人が封筒を開封せずに捨ててしまった場合等、受取人が封筒を開封しない状態においては、差出人が通知したい情報を受取人に通知することができず、また、その場合、封入体の作成にかかる手間及びコスト、並びにこの封入体を郵送した場合は郵送にかかるコストが無駄になってしまうという問題点がある。
【０００６】
また、上述したように透明フィルムからなる封筒を用いた場合においても、差出人が通知したい情報のうち外部から視認可能となる領域に印字された情報については、封筒を開封しない状態であっても受取人に通知することができるものの、外部から視認可能ではない領域に印字された情報については、封筒を開封しなければ受取人に通知することができず、上記同様の問題点が生じてしまう。
【０００７】
本発明は、上述したような従来の技術が有する問題点に鑑みてなされたものであって、所定の情報が印字された印刷物が封筒に封入されて構成される封入体において、封筒の開封意欲を掻き立て、開封率を高めることができる封入体を提供することを目的とする。
【０００８】
【課題を解決するための手段】
上記目的を達成するために本発明は、
所定の情報が印字された印刷物が透明フィルムからなる封筒に封入されて構成される封入体であって、
前記印刷物は、前記封筒から取り出された状態にて前記封筒を用いて認識可能となる特定の情報が印字され、
前記封筒は、前記印刷物上に重ねられた際に、前記印刷物に印字された情報のうち前記特定の情報のみを視認可能とする着色領域を有することを特徴とする。
【０００９】
また、所定の情報が印字された印刷物が透明フィルムからなる封筒に封入されて構成される封入体であって、
前記印刷物は、前記封筒から取り出された状態にて前記封筒を用いて認識可能となる特定の情報がステルスインクによって印字され、
前記封筒は、濃青色で着色された着色領域を有することを特徴とする。
【００１２】
（作用）
上記のように構成された本発明においては、所定の情報が印字された印刷物が透明フィルムからなる封筒に封入されて構成される封入体であって、印刷物には、封筒から取り出された状態にて封筒を用いて認識可能となる特定の情報が印字されており、また、封筒には、特定の情報を認識可能とするための加工が施されている。このように構成された封入体において、封筒に封入された印刷物を封筒から取り出し、印刷物に印字された情報のうち特定の情報を封筒を用いて視認可能とする。
【００１３】
例えば、封筒が印刷物上に重ねられた際に、印刷物に印字された情報のうち特定の情報のみを視認可能とする着色領域を封筒に設けておけば、封筒から印刷物を取り出した後に印刷物上に封筒を重ねることにより特定の情報が伝達されることになり、印刷物に印字された情報のうち特定の情報のみを視認可能とするような専用のシートを用いることなく、特定の情報が伝達され、開封意欲を高めることができる。
【００１４】
また、特定の情報をステルスインキにより印刷物に印字しておき、また、封筒に濃青色で着色された着色領域を設けておけば、印刷物を封筒から取り出した後に蛍光灯から照射された光を封筒の着色領域を介して印刷物に当てると、ステルスインキにより印字された特定の情報が浮かび上がり、それにより、特定の情報が伝達されることになり、開封意欲を高めることができる。
【００１５】
また、印刷物に三次元画像を印字しておき、また、赤色に透過可能に着色された第１の着色領域と、青色に透過可能に着色された第２の着色領域とを封筒に設けておけば、印刷物を封筒から取り出した後に第１の着色領域及び第２の着色領域を介して印刷物に印字された三次元画像を見ると、印刷物に印字された三次元画像が立体的に見えることになり、それにより、開封意欲を高めることができる。
【００１６】
【発明の実施の形態】
以下に、本発明の実施の形態について図面を参照して説明する。
【００１７】
（第１の実施の形態）
図１は、本発明の封入体の第１の実施の形態を示す図であり、（ａ）は所定の情報が印字された印刷物を示す図、（ｂ）は（ａ）に示した印刷物が封入される封筒を示す図である。
【００１８】
本形態における印刷物１０は図１（ａ）に示すように、予め決められた領域にそれぞれ所定の情報１１が印字されて構成されている。
【００１９】
また、本形態における封筒２０は透明フィルムから構成されており、図１（ｂ）に示すように、その一部が、着色されていない少なくとも１つの穴２２を有し、その他の領域が透視不可能に着色された着色領域２１となっている。なお、この着色領域２１は、封筒２０が図１（ａ）に示した印刷物１０の上に重ねられた場合に、印刷物１０に印字された情報１１のうち、特定の情報のみが穴２２を介して視認可能となるように印刷により穴２２を有して形成されている。
【００２０】
上記のように構成された封入体においては、印刷物１０が封筒２０に封入される際、印刷物１０の情報１１が印字された面が、封筒２０の着色領域２１が形成されている面を介して外部から見えないように封入される。例えば、封筒２０に封入される他の印刷物がこの着色領域２１が形成されている面を介して外部から見えるように封入され、その印刷物によって印刷物１０が見えないようにされる場合や、印刷物１０の裏面が、封筒２０の着色領域２１が形成されている面を介して外部から見えるように封入される場合等が考えられる。なお、その場合は、印刷物１０の裏面にも他の情報が印字されていることが考えられる。
【００２１】
以下に、上述した封入体を用いた情報伝達方法について説明する。
【００２２】
図２は、図１に示した封入体を用いた情報伝達方法を説明するための図であり、印刷物１０上に封筒２０が重ねられた状態を示す。
【００２３】
図２に示すように、図１（ａ）に示した印刷物１０上に図１（ｂ）に示した封筒２０が重ねられると、印刷物１０に印字された情報１１のうち、一部の領域に印字された情報について、特定の情報のみが穴２２を介して外部から視認可能となる。ここで、印刷物１０に印字された情報１１のうち、封筒２０が重ねられた場合に穴２２を介して外部から視認可能となる情報は、印刷物１０上に封筒２０が重ねられていない状態においては、印刷物１０に印字された情報を構成するもの、例えば、所定の文章を構成する文字等にすぎず、そのままでは、穴２２を介して視認可能となる情報がいかなる情報であるかを認識することはできない。そのため、印刷物１０に印字された情報の中から、所定の情報を構成することができる文字等の情報のみが穴２２を介して外部から視認可能となるように、穴２２を有する着色領域２１を形成すれば、封筒２０を用いた場合にのみ所定の情報を伝達することができるようになる。
【００２４】
これにより、例えば、この封入体を郵便物として用いる場合、郵便物の差出人が受取人に通知するために印刷物１０に印字された情報を用いて特定の情報を表現することができ、その情報は封筒２０を利用した場合にのみ受取人に伝達されることになるため、受取人は封筒２０の開封意欲が高められ、開封率が向上する。
【００２５】
本形態においては、透明フィルムからなる封筒２０に印刷により穴２２を有する着色領域２１が形成されるため、印刷工程のみにより、また、穴を有し、その他の領域が透視不可能となるような専用のシートを用いることなく、特定の情報を伝達するための構成を容易に設けることができる。
【００２６】
（第２の実施の形態）
図３は、本発明の封入体の第２の実施の形態を示す図であり、（ａ）は所定の情報が印字された印刷物を示す図、（ｂ）は（ａ）に示した印刷物が封入される封筒を示す図である。
【００２７】
本形態における印刷物１１０は図３（ａ）に示すように、予め決められた領域にそれぞれ所定の情報１１１が視認可能に印字され、また、所定の情報１１２がステルスインキにより肉眼では視認不可能に印字されて構成されている。
【００２８】
また、本形態における封筒１２０は透明フィルムから構成されており、図３（ｂ）に示すように、その一部が、濃青色に着色された着色領域１２１となっている。なお、この着色領域１２１においては、例えば、透明フィルム上に濃青色で印刷を施すことが考えられるが、封筒１２０を構成する透明フィルム自体を、濃青色のものを用いることによって濃青色で着色することも考えられる。また、この着色領域１２１における着色は、透明度が高い方が好ましい。
【００２９】
以下に、上述した封入体を用いた情報伝達方法について説明する。
【００３０】
図４は、図３に示した封入体を用いた情報伝達方法を説明するための図である。
【００３１】
図４に示すように、図３に示した印刷物１１０を、封筒１２０に形成された着色領域１２１を介して蛍光灯１３０に当てると、印刷物１１０にステルスインキによって印字された情報１１２が浮かび上がり、視認可能な状態となる。なお、図４においては、蛍光灯１３０に対して封筒１２０をかざしているだけであるが、蛍光灯１３０に対して封筒１２０の着色領域１２１を巻き付けることが好ましい。
【００３２】
一般に、ステルスインキは、光化学作用と蛍光作用が強い３１５〜４００ｎｍの波長域の光を照射するブラックライトが照射された場合に、このブラックライトから照射された光に反応して浮かび上がる性質を有しているが、蛍光灯から照射された光を濃青色のフィルムを透過させた場合、擬似的にブラックライトから光が照射された場合と同様の作用を生じさせることができる。
【００３３】
そのため、蛍光灯１３０から照射された光を封筒１２０に形成された着色領域１２１を介して印刷物１１０に当てれば、印刷物１１０にステルスインキによって印字された情報１１２が浮かび上がり、視認可能な状態となる。
【００３４】
なお、印刷物１１０に印字された情報１１２はステルスインキによって印字されているため、通常は、肉眼では視認不可能であり、封筒１２０を用いた場合にのみ視認可能となる。
【００３５】
これにより、例えば、この封入体を郵便物として用いる場合、郵便物の差出人が受取人に通知する情報のうち、一部の情報をステルスインキによって印字しておけば、この情報は印刷物１１０が取り出された封筒１２０を用いた場合にのみ受取人に伝達されることになるため、受取人は封筒１２０の開封意欲が高められ、開封率が向上する。
【００３６】
本形態においては、透明フィルムからなる封筒１２０に、蛍光灯１３０と組み合わせることによって擬似的なブラックライトを構成することができる着色領域１２１が印刷により形成されるため、印刷工程のみにより、また、蛍光灯１３０と組み合わせることによって擬似的なブラックライトを構成することができる専用のシートを用いることなく、印刷物２１０にステルスインキにより印字された情報１１２を伝達するための構成を容易に設けることができる。
【００３７】
（第３の実施の形態）
図５は、本発明の封入体の第３の実施の形態を示す図であり、（ａ）は所定の情報が印字された印刷物を示す図、（ｂ）は（ａ）に示した印刷物が封入される封筒を示す図である。
【００３８】
本形態における印刷物２１０は図５（ａ）に示すように、三次元画像２１１が印字されて構成されている。
【００３９】
また、本形態における封筒２２０は透明フィルムから構成されており、図５（ｂ）に示すように、その一部が、赤色に着色された第１の着色領域２２１、他の一部が、青色に着色された第２の着色領域２２２となっている。なお、この着色領域２２１，２２２においては、例えば、透明フィルム上に赤色及び青色でそれぞれ印刷を施すことが考えられる。また、この着色領域２２１，２２２における着色は、透明度が高い方が好ましい。
【００４０】
以下に、上述した封入体を用いた情報伝達方法について説明する。
【００４１】
図６は、図５に示した封入体を用いた情報伝達方法を説明するための図である。
【００４２】
図６に示すように、図５に示した印刷物２１０に印字された三次元画像２１１を、封筒２２０に形成された着色領域２２１，２２２を介して見ると、封筒２２０の着色領域２２１，２２２が３Ｄ眼鏡の左右のレンズの役割を果たし、それにより、印刷物２１０に印字された三次元画像２１１が立体的に見えるようになる。
【００４３】
これにより、例えば、この封入体を郵便物として用いる場合、郵送される印刷物に三次元画像を印字しておき、この印刷物が封入される封筒に、印刷物に印字された三次元画像を立体的に見ることが可能となるように着色領域を形成しておけば、封筒を開封してこの封筒を用いることにより、封筒に封入された印刷物に印字された三次元画像を立体的に見ることができることになるため、受取人は封筒２２０の開封意欲が高められ、開封率が向上する。
【００４４】
本形態においては、透明フィルムからなる封筒２２０に、印刷物２１０に印字された三次元画像２１１を立体的に見ることができる着色領域２２１，２２２が印刷により形成されるため、印刷工程のみにより、また、穴を有し、印刷物２１０に印字された三次元画像２１１を立体的に見ることができる専用のシートを用いることなく、印刷物２１０に印字された三次元画像２１１を立体的に見ることができる構成を容易に設けることができる。
【００４５】
【発明の効果】
以上説明したように本発明においては、所定の情報が印字された印刷物が透明フィルムからなる封筒に封入されて構成される封入体であって、印刷物に、封筒から取り出された状態にて封筒を用いて認識可能となる特定の情報を印字し、また、封筒に、特定の情報を認識可能とするための加工を施したため、封筒を開封した場合のみにおいてこの封筒を用いて印刷物に印字された特定の情報が認識可能となり、封筒の開封意欲が掻き立られ、開封率を高めることができ、また、印刷物に印字された特定の情報を認識可能とする何らかの部材を印刷物とともに封筒に封入しておく必要がない。また、特定の情報を認識可能とするための加工を印刷により封筒に施すことができるため、そのために手間やコストが増大してしまうことはない。
【００４６】
また、封筒が印刷物上に重ねられた際に、印刷物に印字された情報のうち特定の情報のみを視認可能とする着色領域を封筒に設けたものにおいては、封筒から印刷物を取り出した後に印刷物上に封筒を重ねることにより特定の情報が伝達されることになり、印刷物に印字された情報のうち特定の情報のみを視認可能とするような専用のシートを用いることなく、特定の情報が伝達され、開封意欲を掻き立て、開封率を高めることができる。
【００４７】
また、特定の情報をステルスインキにより印刷物に印字しておき、また、封筒に濃青色で着色された着色領域を設けたものにおいては、印刷物を封筒から取り出した後に蛍光灯から照射された光を封筒の着色領域を介して印刷物に当てれば、ステルスインキにより印字された特定の情報が浮かび上がり、それにより、特定の情報が伝達されることになり、開封意欲を掻き立て、開封率を高めることができる。
【００４８】
また、印刷物に三次元画像を印字しておき、また、赤色に透過可能に着色された第１の着色領域と、青色に透過可能に着色された第２の着色領域とを封筒に設けたものにおいては、印刷物を封筒から取り出した後に第１の着色領域及び第２の着色領域を介して印刷物に印字された三次元画像を見れば、印刷物に印字された三次元画像が立体的に見えることになり、それにより、開封意欲を掻き立て、開封率を高めることができる。
【図面の簡単な説明】
【図１】本発明の封入体の第１の実施の形態を示す図であり、（ａ）は所定の情報が印字された印刷物を示す図、（ｂ）は（ａ）に示した印刷物が封入される封筒を示す図である。
【図２】図１に示した封入体を用いた情報伝達方法を説明するための図である。
【図３】本発明の封入体の第２の実施の形態を示す図であり、（ａ）は所定の情報が印字された印刷物を示す図、（ｂ）は（ａ）に示した印刷物が封入される封筒を示す図である。
【図４】図３に示した封入体を用いた情報伝達方法を説明するための図である。
【図５】本発明の封入体の第３の実施の形態を示す図であり、（ａ）は所定の情報が印字された印刷物を示す図、（ｂ）は（ａ）に示した印刷物が封入される封筒を示す図である。
【図６】図５に示した封入体を用いた情報伝達方法を説明するための図である。
【符号の説明】
１０，１１０，２１０    印刷物
１１，１１１，１１２    情報
２０，１２０，２２０    封筒
２１，１２１，２２１，２２２    着色領域
２２    穴
１３０    蛍光灯
２１１    三次元画像
【図１】
0003868302.tif 000002
【図２】
0003868302.tif 000003
【図３】
0003868302.tif 000004
【図４】
0003868302.tif 000005
【図５】
0003868302.tif 000006
【図６】
0003868302.tif 000007